(57)【特許請求の範囲】
【請求項１】
電線と、
前記電線における長手方向の少なくとも一部の領域の周囲を囲み、周方向において切れ目がない管状に形成されているとともに柔軟性を有するチューブと、
前記チューブにおける長手方向の一部の領域の周囲を囲み、曲げ変形可能な管状に形成されているとともに前記電線および前記チューブの荷重に抗して形状を一定に維持可能な金属外装材と、
前記金属外装材に設けられており支持体に固定可能な複数の固定部と、を備え、
前記チューブおよび前記金属外装材の各々は、周方向の輪郭の大きさが異なる小径部と大径部とが長手方向において交互に連なる蛇腹構造を有する管状に形成された部材であり、
前記チューブと前記金属外装材との間に介在し、前記チューブにおける隣り合う前記大径部の間に嵌る内面側の凸部と前記金属外装材における隣り合う前記小径部の間に嵌る外面側の凸部とが形成された環状の介在部材をさらに備える、保護材付電線。
【請求項２】
前記金属外装材はその全長に亘る一連の切れ目がある管状に形成された部材である、請求項１に記載の保護部材付電線。
【請求項３】
前記固定部は、前記金属外装材における前記介在部材を内包する部分に取り付けられた部材である、請求項１又は請求項２に記載の保護部材付電線。
【請求項４】
前記金属外装材は磁性材料を含む部材である、請求項１から請求項３のいずれか１項に記載の保護材付電線。
【発明の詳細な説明】
【技術分野】
【０００１】
本発明は、電線と電線の周囲を囲む保護材とを備える保護材付電線に関する。
【背景技術】
【０００２】
自動車等の車両において、電線が、例えばエンジンルームなどのように室外の位置に取り付けられる場合、電線の周囲を囲む合成樹脂チューブが、電線の保護および防水のために用いられる。合成樹脂チューブは、電線の保護材（保護チューブ）の一例である。
【０００３】
例えば、コルゲートチューブのような柔軟性を有する合成樹脂チューブが、防水機能を兼ねる保護材として用いられる。なお、防水機能を兼ねるコルゲートチューブは、周方向において切れ目がないコルゲートチューブである。
【０００４】
また、特許文献１は、電線の周囲を囲む金属パイプを電線の保護材として用いることを示している。金属パイプは、合成樹脂チューブよりも耐衝撃性に優れているとともに、防水機能および電線を予め定められた経路に沿う形状に維持する機能も有している。
【０００５】
また、車両用の電線において、エンジンなどの硬質な重量物の近傍に配線される部分の保護材として、耐衝撃性に優れ電線の形状を維持する機能を有する金属プロテクタが用いられる場合がある。一般に、金属プロテクタは、予め定められた形状に成形された複数の金属部材が組み合わされた構造を有している。
【先行技術文献】
【特許文献】
【０００６】
【特許文献１】特開２００４−２２４１５６号公報
【発明の概要】
【発明が解決しようとする課題】
【０００７】
従来の金属パイプまたは金属プロテクタが採用される場合、配線経路の仕様ごとに大がかりな成形装置を用いて金属パイプなどの硬質な金属部材を仕様に対応した形状へ正確に成形することが必要になる。そのため、従来の金属パイプおよび金属プロテクタは、仕様変更および寸法公差への適応性が高いといえず、また、低コスト化が難しい。
【０００８】
本発明は、電線の防水と電線の一部についての耐衝撃性の確保および電線形状の維持とが可能であり、さらに仕様変更および寸法公差への適応性が高く低コストの保護材付電線を提供することを目的とする。
【課題を解決するための手段】
【０００９】
第１態様に係る保護材付電線は、電線とチューブと金属外装材と複数の固定部とを備えている。上記チューブは、上記電線における長手方向の少なくとも一部の領域の周囲を囲む。さらに、上記チューブは、周方向において切れ目がない管状に形成されているとともに柔軟性を有する。上記金属外装材は、上記チューブにおける長手方向の一部の領域の周囲を囲む。さらに、上記金属外装材は、曲げ変形可能な管状に形成されているとともに上記電線および上記チューブの荷重に抗して形状を一定に維持可能な部材である。複数の上記固定部は、上記金属外装材に設けられており支持体に固定可能な部分である。
【００１０】
また、第１態様に係る保護材付電線は、上記チューブおよび上記金属外装材の各々は、周方向の輪郭の大きさが異なる小径部と大径部とが長手方向において交互に連なる蛇腹構造を有する管状に形成された部材であり、前記チューブと前記金属外装材との間に介在し、前記チューブにおける隣り合う前記大径部の間に嵌る内面側の凸部と前記金属外装材における隣り合う前記小径部の間に嵌る外面側の凸部とが形成された環状の介在部材をさらに備えるものである。
【００１１】
第２態様に係る保護部材付電線は、第１態様に係る保護材付電線の一態様である。第２態様に係る保護部材付電線において、上記金属外装材はその全長に亘る一連の切れ目がある管状に形成された部材である。
【００１２】
第３態様に係る保護材付電線は、第１または第２態様に係る保護材付電線の一態様である。第３態様に係る保護材付電線において、上記固定部は、上記金属外装材における上記介在部材を内包する部分に取り付けられた部材である。
【００１４】
第４態様に係る保護材付電線は、第１から第３態様のいずれかに係る保護材付電線の一態様である。第４態様に係る保護材付電線において、上記金属外装材は磁性材料を含む部材である。
【発明の効果】
【００１５】
上記の各態様において、周方向において切れ目がないチューブが電線の防水機能および保護機能を有する。一方、金属外装材が、電線の一部について耐衝撃性を確保するとともに電線形状を維持する。但し、曲げ変形可能な金属外装材は、大きな外力に抗して一定形状を維持できるだけの剛性を有していない。しかしながら、金属外装材の複数箇所に設けられた複数の固定部が、車両のボディパネルなどの支持体に固定された状態において、金属外装材を大きな外力に抗して一定形状に保持する役割を果たす。
【００１６】
さらに、内側のチューブが柔軟性を有する部材であるとともに、外側の金属外装材が曲げ変形可能な部材である。そのため、大がかりな成形装置を用いることなく、配線経路の仕様変更および寸法公差に応じて金属外装材を比較的容易に変形させることができる。その結果、配線経路の仕様に応じた形状の金属外装材を比較的低コストで提供することができる。
【００１７】
以上に示したことから、上記の各態様によれば、電線の防水と電線の一部についての耐衝撃性の確保および電線形状の維持とが可能であり、さらに仕様変更および寸法公差への適応性が高く低コストの保護材付電線を提供することができる。
【００１８】
また、第１態様において、耐摩耗性に優れた比較的硬質な合成樹脂の部材がチューブとして採用される場合でも、蛇腹構造によってチューブの柔軟性を確保しやすい。同様に、耐衝撃性に優れた金属部材が金属外装材として採用される場合であっても、蛇腹構造によって金属外装材を曲げ変形可能にしやすい。
【００１９】
また、第２態様において、金属外装材がその全長に亘る一連の切れ目がある管状である。そのため、チューブの一部を金属外装材の切れ目から金属外装材の中空部に挿入することができる。すなわち、電線およびチューブをその一端から金属外装材の中空部に貫通させる工程を必要としない。その結果、金属外装材をチューブの一部の周囲を覆う状態にする工程が容易となる。
【００２０】
また、第１態様によれば、介在部材が、チューブに対する金属外装材の位置ずれを防ぎ、第３態様によれば、金属外装材における固定部が取り付けられた部分が固定部から受ける圧力によって内側へ変形することを防ぐ。
【００２２】
また、第４態様によれば、磁性材料を含む金属外装材が、電線を保護し電線の形状を維持する機能に加え、磁気シールド材としても機能する。このような金属外装材は、電線の磁気シールドが必要な場合に好適である。
【図面の簡単な説明】
【００２３】
【図１】実施形態に係る保護材付電線１０の側面図である。
【図２】保護材付電線１０の一部の断面図である。
【図３】保護材付電線１０が備える介在部材の分解斜視図である。
【図４】保護材付電線１０が備える金属外装材の側面図である。
【図５】保護材付電線１０が備える固定具の斜視図である。
【図６】保護材付電線１０に適用可能な第１応用例に係る金属外装材およびそれと接続された合成樹脂チューブの側面図である。
【図７】保護材付電線１０に適用可能な第２応用例に係る金属外装材の側面図である。
【図８】第２応用例に係る金属外装材の元になる金属板材の斜視図である。
【発明を実施するための形態】
【００２４】
以下、添付の図面を参照しながら、実施形態について説明する。以下の実施形態は、本発明を具体化した一例であり、本発明の技術的範囲を限定する事例ではない。
【００２５】
＜実施形態＞
まず、図１を参照しつつ、実施形態に係る保護材付電線１０について説明する。保護材付電線１０は、自動車などの車両に搭載されるワイヤハーネスである。保護材付電線１０は、例えば車両のエンジンルーム内の支持体に取り付けられる。
【００２６】
図１が示すように、保護材付電線１０は、電線１と合成樹脂チューブ２と金属外装材３と複数の固定具４とを備えている。さらに、図２が示す例では、保護材付電線１０は介在部材７も備えている。
【００２７】
＜電線＞
電線１は、例えば、長尺な導体である芯線と、その芯線の周囲を覆う絶縁体である絶縁被覆とを有する絶縁電線である。電線１の芯線は、例えば、銅を主成分とする金属の線材またはアルミニウムを主成分とする金属の線材などである。図１，２が示す例では、保護材付電線１０は、束ねられた複数の電線１（電線束）を含む。
【００２８】
当該電線１を接続先に接続するための不図示の端子が、電線１の端部に接続されている場合が多い。なお、電線１が絶縁被覆のない裸電線であることも考えられなくはない。
【００２９】
＜合成樹脂チューブ＞
合成樹脂チューブ２は、電線１における長手方向の少なくとも一部の領域の周囲を囲む管状の部材である。例えば、合成樹脂チューブ２は、電線１における一方の端部付近から他方の端部付近までに亘る領域の周囲を囲んでいる。なお、合成樹脂チューブ２は、電線１の周囲を覆うチューブの一例である。
【００３０】
合成樹脂チューブ２は、周方向において切れ目がない管状に形成されている。本実施形態においては、合成樹脂チューブ２は、周方向の輪郭の大きさが異なる小径部２１と大径部２２とが長手方向において交互に連なる蛇腹構造を有する管状に形成されたコルゲートチューブである。
【００３１】
合成樹脂チューブ２は、蛇腹構造を有することにより柔軟性を有している。合成樹脂チューブ２は、可撓性を有することによって柔軟に変形可能な保護チューブの一例である。  合成樹脂チューブ２は、例えば、ポリプロピレン、ポリアミドまたはポリエチレンなどを主成分とする合成樹脂のチューブである。
【００３２】
＜金属外装材＞
金属外装材３は、合成樹脂チューブ２における長手方向の一部の領域の周囲を囲む管状の金属部材である。この金属外装材３は、曲げ変形可能な管状に形成されているとともに、電線１および合成樹脂チューブ２の荷重に抗して形状を一定に維持可能な硬さの管状部材である。即ち、金属外装材３の曲げ変形は主として塑性変形である。
【００３３】
金属外装材３は、例えば、アルミニウムまたはステンレスなどを含む金属の部材であることが考えられる。また、金属外装材３が、鉄、ケイ素鋼、パーマロイまたはフェライトなどの磁性材料を含む金属の部材であることも考えられる。
【００３４】
本実施形態においては、金属外装材３は、周方向の輪郭の大きさが異なる小径部３１と大径部３２とが長手方向において交互に連なる蛇腹構造を有する管状に形成された金属部材である。
【００３５】
図４が示すように、本実施形態における金属外装材３は、その全長に亘る一連の切れ目３３がある管状に形成されている。そのため、合成樹脂チューブ２を金属外装材３における切れ目３３から中空部へ挿入することが可能である。
【００３６】
＜介在部材＞
介在部材７は、合成樹脂チューブ２と金属外装材３との間に介在する環状の部材である。介在部材７は、例えば、ポリプロピレン、ポリエチレン、ポリ塩化ビニル、ポリエチレンテレフタラートまたはポリアミドなどの合成樹脂の部材である。
【００３７】
図３が示すように、介在部材７は、予め成形された複数の要素部材７０が組み合わされることによって環状を成している。図３が示す例では、介在部材７は、２つの半環状の要素部材７０が合体した部材である。２つの要素部材７０は、その一方に形成された仮留め用凸部７０１と他方に形成された仮留め用凹部７０２とが嵌り合うことによって合体した状態に維持される。
【００３８】
なお、図３が示す例では、２つの要素部材７０は同じ形状の半環状の部材である。しかしながら、２つの要素部材７０が異なる形状で形成されていることも考えられる。
【００３９】
図２，３が示すように、介在部材７は、合成樹脂チューブ２における隣り合う大径部２２の間に嵌る内面側の内側凸部７１と、金属外装材３における隣り合う小径部３１の間に嵌る外面側の外側凸部７２とが形成された部材である。
【００４０】
介在部材７は、内側凸部７１および外側凸部７２において合成樹脂チューブ２および金属外装材３の各々に引っ掛かることにより、合成樹脂チューブ２と金属外装材３との位置関係を維持する。
【００４１】
図３が示す例では、内側凸部７１および外側凸部７２は、それぞれ環状の介在部材７の周方向において一連に形成された環状の凸部である。しかしながら、内側凸部７１および外側凸部７２のうちの一方または両方が、周方向における一部の範囲に形成された凸部であることも考えられる。
【００４２】
図１には、合成樹脂チューブ２および金属外装材３が曲げられていない状態の保護材付電線１０と回避対象物８０とが仮想線（二点鎖線）で描かれている。回避対象物８０は、例えば保護材付電線１０が車両などに取り付けられたときに干渉を回避すべき車両部品などである。
【００４３】
金属外装材３は、電線１の一部を合成樹脂チューブ２の外側から囲むことにより、電線１の耐衝撃性を確保するとともに電線１の形状を維持する。図１は、金属外装材３が、回避対象物８０との干渉の回避するための予め定められた経路に沿って曲げられた形状を維持している状態を示している。
【００４４】
金属外装材３は、その中空部に通されている電線１および合成樹脂チューブ２から受ける荷重以外の外力を受けなければ一定の形状を維持できる程度の硬さで形成された部材である。
【００４５】
＜固定具＞
固定具４は、金属外装材３に取り付けられており、車両のボディパネルなどの支持体に固定可能な部材である。複数の固定具４が、金属外装材３における複数の箇所に取り付けられている。なお、固定具４は、金属外装材３に設けられた固定部の一例である。
【００４６】
図５が示すように、固定具４は、金属外装材３の一部に接続された接続部５と、支持体８の取付孔８１の部分に留まることが可能な留め具部６とを有している。
【００４７】
固定具４の接続部５は、なお、図５には、固定具４の留め具部６が留まる支持体８が仮想線（二点鎖線）で描かれている。
【００４８】
固定具４は、例えば、ポリアミド、ポリプロピレン、ポリブチレンテレフタレートまたはＡＢＳ樹脂などの合成樹脂の成形部材である。なお、固定具４が金属の部材であることも考えられる。
【００４９】
図５が示す例では、固定具４の接続部５は、金属外装材３の一部を挟み込む第一片側部５１および第二片側部５２と、それらを相対的に回動可能に連結するヒンジ部５３とを有している。
【００５０】
第一片側部５１および第二片側部５２の各々の一部は、相互に係り合うことによって第一片側部５１および第二片側部５２を組み合わさった状態に維持するロック部５５を構成している。第一片側部５１および第二片側部５２は、金属外装材３の一部を挟み込んだ状態で組み合わさる。
【００５１】
第一片側部５１および第二片側部５２は、金属外装材３の一部を挟み込むことによって金属外装材３に接続されている。そのため、組み合わさった第一片側部５１および第二片側部５２は、金属外装材３が貫通する外装材通し孔５４を形成している。
【００５２】
そして、固定具４の接続部５は、第一片側部５１および第二片側部５２によって金属外装材３をその両側から挟み込むことにより、金属外装材３をその切れ目３３が閉じた状態に保持する。そのため、合成樹脂チューブ２が金属外装材３の切れ目３３からはみ出すことを防ぐために金属外装材３に対して粘着テープを巻き付けたり、あるいは切れ目３３を閉じる溶接を施したりする手間が省ける。
【００５３】
さらに、第一片側部５１および第二片側部５２における外装材通し孔５４の内側面には、金属外装材３における隣り合う大径部３２の間に嵌り込む内側凸部５６が形成されている。これにより、固定具４が金属外装材３に対して位置ずれすることが防がれる。
【００５４】
一方、留め具部６は、支持体８に固定可能な部分の一例である。留め具部６は、接続部５から起立した起立部６１と、起立部６１の先端寄りの部分から両側方へ張り出して形成された張出部６２とを有している。さらに、留め具部６は、起立部６１の根元部分に形成された鍔部６３を有している。
【００５５】
留め具部６の起立部６１が支持体８の取付孔８１に挿入されると、張出部６２がその幅を狭める方向へ一時的に弾性変形しながら取付孔８１を通過し、支持体８の一方の主面側（裏面側）において取付孔８１の縁部に引っ掛かる。
【００５６】
さらに、留め具部６の鍔部６３は、支持体８の他方の主面側（表面側）において取付孔８１の縁部に引っ掛かる。留め具部６は、張出部６２と鍔部６３とが支持体８における取付孔８１の縁部を挟み込むことによって支持体８に留まる。これにより、固定具４が支持体８に固定され、金属外装材３が、複数箇所において固定具４各々によって支持体８に固定される。
【００５７】
＜効果＞
保護材付電線１０において、周方向において切れ目がない合成樹脂チューブ２が電線１の防水機能および保護機能を有する。一方、金属外装材３が、電線１の一部について耐衝撃性を確保するとともに電線１の形状を維持する。
【００５８】
但し、蛇腹構造を有することによって曲げ変形可能な金属外装材３は、大きな外力に抗して一定形状を維持できるだけの剛性を有していない。しかしながら、金属外装材３の複数箇所に取り付けられた複数の固定具４が、車両のボディパネルなどの支持体８に固定された状態において、金属外装材３を大きな外力に抗して一定形状に保持する役割を果たす。
【００５９】
さらに、内側の合成樹脂チューブ２が柔軟性を有するチューブであるとともに、外側の金属外装材３が曲げ変形可能な部材である。そのため、大がかりな成形装置を用いることなく、配線経路の仕様変更および寸法公差に応じて金属外装材３を比較的容易に変形させることができる。その結果、配線経路の仕様に応じた形状の金属外装材３を比較的低コストで提供することができる。
【００６０】
以上に示したことから、保護材付電線１０は、電線１の防水と電線１の一部についての耐衝撃性の確保および電線１の形状の維持とが可能である。さらに、保護材付電線１０は、仕様変更および寸法公差への適応性が高く、保護材付電線１０を低コストで提供することが可能である。
【００６１】
また、耐摩耗性に優れた比較的硬質な合成樹脂の部材が合成樹脂チューブ２として採用される場合でも、蛇腹構造によって合成樹脂チューブ２の柔軟性を確保しやすい。同様に、耐衝撃性に優れた金属部材が金属外装材３として採用される場合であっても、蛇腹構造によって金属外装材３を曲げ変形可能にしやすい。
【００６２】
また、金属外装材３は、その全長に亘る一連の切れ目３３がある管状の部材である。そのため、合成樹脂チューブ２の一部を金属外装材３の切れ目３３から金属外装材３の中空部に挿入することができる。すなわち、電線１および合成樹脂チューブ２をその一端から金属外装材３の中空部に貫通させる工程を必要としない。その結果、金属外装材３を合成樹脂チューブ２の一部の周囲を覆う状態にする工程が容易となる。
【００６３】
また、介在部材７が、合成樹脂チューブ２に対する金属外装材３の位置ずれを防ぐとともに、金属外装材３の一部が固定具４の接続部５から受ける圧力によって内側へ変形することを防ぐ。
【００６４】
また、磁性材料を含む金属外装材３が採用される場合、金属外装材３は、電線１を保護し電線１の形状を維持する機能に加え、磁気シールド材としても機能する。このような金属外装材３は、電線１の磁気シールドが必要な場合に好適である。
【００６５】
＜第１応用例＞
次に、図６を参照しつつ保護材付電線１０に適用可能な第１応用例に係る金属外装材３Ａについて説明する。図６は、金属外装材３Ａおよびそれと接続された合成樹脂チューブ２の側面図である。
【００６６】
第１応用例に係る金属外装材３Ａは、実施形態に示された金属外装材３に被結束部３４が追加された構成を有している。図６において、図１〜５に示される構成要素と同じ構成要素は、同じ参照符号が付されている。以下、金属外装材３Ａにおける金属外装材３と異なる点について説明する。
【００６７】
図６が示すように、金属外装材３は、少なくともその一端において合成樹脂チューブ２に沿って張り出して形成された被結束部３４を有している。この被結束部３４は、金属外装材３の一端から延び出た合成樹脂チューブ２と結束材９によって結束されている。結束材９は、例えば結束ベルトまたは粘着テープなどである。
【００６８】
被結束部３４および合成樹脂チューブ２が結束材９で結束されることにより、合成樹脂チューブ２に対する金属外装材３の位置ずれを防ぐことができる。そのため、保護材付電線１０において、金属外装材３Ａが金属外装材３の代わりに採用される場合、介在部材７の内側凸部７１および外側凸部７２が省略されることが考えられる。
【００６９】
＜第２応用例＞
次に、図７，８を参照しつつ保護材付電線１０に適用可能な第２応用例に係る金属外装材３Ｂについて説明する。図７は、第２応用例に係る金属外装材３Ｂの側面図である。図８は、金属外装材３Ｂの元になる金属板材３０の斜視図である。
【００７０】
金属外装材３Ｂは、実施形態に示された金属外装材３のように蛇腹構造を有さず、金属板材３０が螺旋状に巻かれた構造を有している。図７，８において、図１〜５に示される構成要素と同じ構成要素は、同じ参照符号が付されている。以下、金属外装材３Ｂにおける金属外装材３と異なる点について説明する。
【００７１】
金属外装材３Ｂの元になる金属板材３０は、長尺な金属の板材である。図８が示すように、金属板材３０は、当該金属板材３０の中央部分を成す帯状の基部３０１と、当該金属板材３０の長手方向に沿う両側の縁部の一方および他方の各々に形成された起立部３０２および溝状部３０３とを有している。
【００７２】
起立部３０２は、基部３０１からその一方の主面側へ起立し、金属板材３０の長手方向に沿って形成されている。溝状部３０３は、基部３０１の他方の主面側において金属板材３０の長手方向に沿う溝（凹部）を形成する部分である。
【００７３】
金属外装材３Ｂは、両側縁部の一方の起立部３０２と他方の溝状部３０３とが形成された金属板材３０が合成樹脂チューブ２の周りに螺旋状に巻かれることによって管状に形成された部材である。さらに、金属外装材３Ｂは、金属板材３０における起立部３０２が溝状部３０３に入った状態で管状に形成されている。
【００７４】
保護材付電線１０において、金属外装材３Ｂが金属外装材３の代わりに採用される場合も、切れ目３３が形成された金属外装材３が採用される場合と同様に、金属外装材３Ｂを合成樹脂チューブ２の一部の周囲を覆う状態にする工程が容易となる。
【００７５】
また、長尺な金属板材３０における一方の側縁部の起立部３０２と他方の側縁部の溝状部３０３とが係り合う。これにより、螺旋状に巻かれた金属板材３０の位置ずれによって金属外装材３Ｂに隙間が生じることが防がれる。
【００７６】
＜その他の応用例＞
実施形態において、金属外装材３の材料の候補とされた金属材料は、金属外装材３Ａ，３Ｂの材料の候補でもある。また、保護材付電線１０において、介在部材７が省略されることも考えられる。
【００７７】
また、実施形態において、複数の固定具４のうちの一部または全部が、金属外装材３の一部として形成された固定部に置き換えられることも考えられる。例えば、支持体への固定用のネジが通される孔が形成された固定部が、金属外装材３の一部に形成されていることなどが考えられる。
【００７８】
また、合成樹脂チューブ２が蛇腹構造を有さない比較的柔軟な合成樹脂材料のチューブであることも考えられる。例えば、合成樹脂チューブ２が、エラストマーなどのゴム系合成樹脂またはその他の比較的柔軟な合成樹脂材料のチューブであることも考えられる。また、合成樹脂チューブ２が、ゴム系合成樹脂のチューブ以外のゴムチューブであることも考えられる。
【００７９】
なお、本発明に係る保護材付電線は、各請求項に記載された発明の範囲において、以上に示された実施形態および応用例を自由に組み合わせることの他、実施形態および応用例を適宜、変形するまたは一部を省略することによって構成されることも可能である。
【符号の説明】
【００８０】
１０  保護材付電線
１  電線
２  合成樹脂チューブ
２１  合成樹脂チューブの小径部
２２  合成樹脂チューブの大径部
３，３Ａ，３Ｂ  金属外装材
３０  金属板材
３１  小径部
３２  大径部
３３  切れ目
３４  被結束部
３０１  基部
３０２  起立部
３０３  溝状部
４  固定具
５  接続部
５１  第一片側部
５２  第二片側部
５３  ヒンジ部
５４  外装材通し孔
５５  ロック部
５６  内側凸部
６  留め具部
６１  起立部
６２  張出部
６３  鍔部
７  介在部材
７０  要素部材
７０１  仮留め用凸部
７０２  仮留め用凹部
７１  内側凸部
７２  外側凸部
８  支持体
８０  回避対象物
８１  取付孔
９  結束材
【図１】
0006028721.tif 000002
【図２】
0006028721.tif 000003
【図３】
0006028721.tif 000004
【図４】
0006028721.tif 000005
【図５】
0006028721.tif 000006
【図６】
0006028721.tif 000007
【図７】
0006028721.tif 000008
【図８】
0006028721.tif 000009